(57)【要約】【課題】  ウェアラブルデバイスを装着した各作業員に対して調整作業の支援が適切に行われるようにする。【解決手段】  ウェアラブルデバイス１１は、近距離無線通信装置２１、ネットワークインターフェイス２２および表示装置２３を内蔵し、（ａ）近距離無線通信装置２１で作業対象物３から作業対象物３の識別情報を取得し、（ｂ）取得した作業対象物３の識別情報をネットワークインターフェイス２２で管理サーバー１２へ送信し、（ｃ）取得した作業対象物３の識別情報に対応する作業対象物３の現時点での設定値を管理サーバー１２から受信し表示装置２３で作業員２に対して表示し、（ｄ）取得した作業対象物３の識別情報に対応する調整作業の作業支援情報（設定値変更作業に使用すべき新たな設定値）を管理サーバー１２から受信し表示装置２３で作業員２に対して表示する。【選択図】  図１
2018049516.tif 000002
【特許請求の範囲】
【請求項１】
作業対象となる電子機器に対して調整作業を行う作業員に装着され、前記作業員に対して調整作業の作業支援情報を表示するウェアラブルデバイスと、
前記ウェアラブルデバイスに対して、前記作業支援情報を提供する管理サーバーとを備え、
前記ウェアラブルデバイスは、近距離無線通信装置、ネットワークインターフェイスおよび表示装置を内蔵し、（ａ）前記近距離無線通信装置で前記電子機器から前記電子機器の識別情報を取得し、（ｂ）取得した前記電子機器の識別情報を前記ネットワークインターフェイスで前記管理サーバーへ送信し、（ｃ）取得した前記電子機器の識別情報に対応する前記電子機器の現時点での設定値を前記管理サーバーから受信し前記表示装置で前記作業員に対して表示し、（ｄ）取得した前記電子機器の識別情報に対応する調整作業の作業支援情報を前記管理サーバーから受信し前記表示装置で前記作業員に対して表示し、
前記管理サーバーは、（ａ）前記ウェアラブルデバイスから前記電子機器の識別情報を受信し、（ｂ）受信した前記識別情報の前記電子機器から前記現時点の設定値を取得して前記ウェアラブルデバイスへ送信し、（ｃ）過去の調整作業の履歴に基づいて、前記作業員による調整作業の結果に対応する新たな設定値の提案を含む前記作業支援情報を生成し、前記ウェアラブルデバイスへ送信すること、
を特徴とする調整作業支援システム。
【請求項２】
前記ウェアラブルデバイスは、撮像装置をさらに内蔵し、前記現時点の設定値でのテスト印刷物および変更後の設定値でのテスト印刷物を前記撮像装置で撮像し、前記現時点の設定値でのテスト印刷物の撮像画像および変更後の設定値でのテスト印刷物の撮像画像を変更前画像および変更後画像としてそれぞれ示す画像データを前記管理サーバーへ送信し、
前記管理サーバーは、（ａ）前記画像データを受信し、（ｂ）前記画像データに基づいて、前記変更前画像における所定の調整項目の値を特定し、特定した前記調整項目の値の、前記現時点の設定値での前記所定の調整項目の基準値からのズレを第１のズレとして特定し、（ｃ）前記画像データに基づいて、前記変更後画像における所定の調整項目の値を特定し、特定した前記調整項目の値の、前記現時点の設定値での前記所定の調整項目の基準値からのズレを第２のズレとして特定し、（ｄ）前記過去の調整作業の履歴に基づいて、変更前の前記設定値、変更後の前記設定値、変更前後での前記設定値の差分、前記第１のズレ、前記第２のズレ、および前記第１のズレと前記第２のズレとの差分に対応する新たな設定値の提案を含む前記作業支援情報を生成し、前記ウェアラブルデバイスへ送信すること、
を特徴とする請求項１記載の調整作業支援システム。
【請求項３】
前記所定の調整項目は、印字位置または印字色であることを特徴とする請求項２記載の調整作業支援システム。
【請求項４】
前記過去の調整作業の履歴は、１回の調整工程における連続的な複数回の設定値変更作業のそれぞれについての変更前後での前記設定値の差分、および前記第１のズレと前記第２のズレとの差分を含み、
前記管理サーバーは、前記過去の調整作業の履歴と前記ウェアラブルデバイスからの前記画像データとの間で前記変更前後での前記設定値の差分および前記第１のズレと前記第２のズレとの差分が所定の誤差の範囲内で互いに一致する前記設定値変更作業を、前記過去の調整作業の履歴において特定し、前記１回の調整工程における、特定した前記設定値変更作業から最後の前記設定値変更作業までの前記変更前後での設定値の差分の総和を前記新たな設定値の提案として含む前記作業支援情報を生成し、前記ウェアラブルデバイスへ送信すること、
を特徴とする請求項２または請求項３記載の調整作業支援システム。
【発明の詳細な説明】
【技術分野】
【０００１】
本発明は、調整作業支援システムに関するものである。
【背景技術】
【０００２】
複合機などの電子機器を製造する際に、組立完了後に、電子機器が適切に動作するように各種設定項目の設定値を調整する調整工程が製造ライン上で実施される。
【０００３】
このような調整工程における調整作業に従事する作業員には、所望の結果（印字位置などの印字品質）を得るために設定値を適切に変化させる技術が求められるため、熟練者のほうが望ましいが、熟練者以外の作業員でもそのような調整作業が行えることが好ましい。
【０００４】
ある作業支援システムでは、作業員の端末が、作業手順や作業指示を、作業員のヘッドマウントディスプレイに表示している（例えば特許文献１参照）。
【先行技術文献】
【特許文献】
【０００５】
【特許文献１】特開２００４−１０２７２７号公報
【発明の概要】
【発明が解決しようとする課題】
【０００６】
上述のシステムでは、作業員に作業手順などを表示して作業支援を行うことは可能であるが、ウェアラブルデバイスを装着した複数の作業員が複数の電子機器に対して作業を行っている製造ラインにおいてある作業員による電子機器の調整作業を支援する場合、その作業員の作業対象となる電子機器を特定し、その電子機器から現時点の設定値を取得し、その現時点の設定値に基づいて調整作業の支援を行う必要がある。しかし、上述のシステムでは、固定的な作業手順や作業指示を単に作業員に提供しているだけであるので、各時点での電子機器の状態を反映させた調整作業の支援を行うことは困難である。
【０００７】
本発明は、上記の問題に鑑みてされたものであり、ウェアラブルデバイスを装着した各作業員に対して調整作業の支援を適切に行う調整作業支援システムを得ることを目的とする。
【課題を解決するための手段】
【０００８】
本発明に係る調整作業支援システムは、作業対象となる電子機器に対して調整作業を行う作業員に装着され、前記作業員に対して調整作業の作業支援情報を表示するウェアラブルデバイスと、前記ウェアラブルデバイスに対して、前記作業支援情報を提供する管理サーバーとを備える。そして、前記ウェアラブルデバイスは、近距離無線通信装置、ネットワークインターフェイスおよび表示装置を内蔵し、（ａ）前記近距離無線通信装置で前記電子機器から前記電子機器の識別情報を取得し、（ｂ）取得した前記電子機器の識別情報を前記ネットワークインターフェイスで前記管理サーバーへ送信し、（ｃ）取得した前記電子機器の識別情報に対応する前記電子機器の現時点での設定値を前記管理サーバーから受信し前記表示装置で前記作業員に対して表示し、（ｄ）取得した前記電子機器の識別情報に対応する調整作業の作業支援情報を前記管理サーバーから受信し前記表示装置で前記作業員に対して表示し、前記管理サーバーは、（ａ）前記ウェアラブルデバイスから前記電子機器の識別情報を受信し、（ｂ）受信した前記識別情報の前記電子機器から前記現時点の設定値を取得して前記ウェアラブルデバイスへ送信し、（ｃ）過去の調整作業の履歴に基づいて、前記作業員による調整作業の結果に対応する新たな設定値の提案を含む前記作業支援情報を生成し、前記ウェアラブルデバイスへ送信する。
【発明の効果】
【０００９】
本発明によれば、ウェアラブルデバイスを装着した各作業員に対して調整作業の支援が適切に行われる。
【００１０】
本発明の上記又は他の目的、特徴および優位性は、添付の図面とともに以下の詳細な説明から更に明らかになる。
【図面の簡単な説明】
【００１１】
【図１】図１は、本発明の実施の形態に係る調整作業支援システムの構成を示すブロック図である。
【図２】図２は、図１におけるウェアラブルデバイス１１の構成を示すブロック図である。
【図３】図３は、図１に示すシステムにおいて、ウェアラブルデバイス１１によって作業員２の視界内に表示される現時点での設定値の一例を示す図である。
【図４】図４は、図１に示すシステムにおいて、ウェアラブルデバイス１１によって作業員２の視界内に表示される作業支援情報としての新たな設定値の提案の一例を示す図である。
【図５】図５は、図１における管理サーバー１２の構成を示すブロック図である。
【図６】図６は、図１に示す調整作業支援システムにおける管理サーバー１２の動作について説明するフローチャートである。
【発明を実施するための形態】
【００１２】
以下、図に基づいて本発明の実施の形態を説明する。
【００１３】
図１は、本発明の実施の形態に係る作業支援システムの構成を示すブロック図である。図１に示す作業支援システムでは、製造ライン１において作業員２が配置され、作業員２は、製造ライン１上で移動してくる、未完成の電子機器（例えば複合機などの画像形成装置） である作業対象物３に対して、割り当てられた工程（ここでは、調整工程）の作業を行う。
【００１４】
作業員２は、調整工程において作業対象物３に対して調整作業を行う。作業員２には、ウェアラブルデバイス１１が装着され、作業員２に対して調整作業の作業支援情報を表示する。ここでは、作業支援情報は、調整作業としての設定値の変更の際に使用すべき新たな設定値の提案を含む。管理サーバー１２は、ウェアラブルデバイス１１に対して、その作業支援情報を提供する。
【００１５】
図２は、図１におけるウェアラブルデバイス１１の構成を示すブロック図である。ウェアラブルデバイス１１は、近距離無線通信装置２１、ネットワークインターフェイス２２、表示装置２３、撮像装置２４、マイクロフォン２５、スピーカー２６、およびコントローラー２７を内蔵している。
【００１６】
近距離無線通信装置２１は、ブルートゥース（登録商標）などの無線通信装置であって、作業対象物３との間で通信を行う。例えば近距離無線通信装置２１は、低出力で１メートル程度の通信エリアを有し、複数の電子機器（作業対象物３）が製造ライン１上にある場合に、作業員２が近接し調整作業をする作業対象物３との間で、近距離無線通信装置２１は、選択的に通信を確立する。
【００１７】
ネットワークインターフェイス２２は、無線ＬＡＮ（Local Area Network）インターフェイスであって、無線ＬＡＮなどに接続されている。
【００１８】
表示装置２３は、例えば透過型のヘッドマウントディスプレイである。
【００１９】
撮像装置２４は、ＣＣＤ（Charge Coupled Device）などの撮像素子を備え、撮像画像の画像データを出力する。
【００２０】
マイクロフォン２５は、作業員２の音声によるコマンド入力を検出する。スピーカー２６は、作業員２に対して、警告音、音声による作業支援情報などを出力する。
【００２１】
コントローラー２７は、ＡＳＩＣ（Application Specific Integrated Circuit）、制御プログラムを実行するマイクロコンピューターなどであって、調整作業支援のためのデータ処理などを行う。
【００２２】
ここでは、ウェアラブルデバイス１１は、ヘッドマウントタイプの一体型のデバイスであるが、例えばウェアラブルコンピューターとヘッドマウントディスプレイとを組み合わせたデバイスでもよい。
【００２３】
ウェアラブルデバイス１１のコントローラー２７は、（ａ）近距離無線通信装置２１で作業対象物３から作業対象物３の識別情報を取得し、（ｂ）取得した作業対象物３の識別情報をネットワークインターフェイス２２で管理サーバー１２へ送信し、（ｃ）取得した識別情報に対応する作業対象物３の現時点での設定値を管理サーバー１２から受信し表示装置２３で作業員２に対して表示し、（ｄ）取得した識別情報に対応する作業対象物３の調整作業の作業支援情報を管理サーバー１２から受信し表示装置２３で作業員２に対して表示する。
【００２４】
図３は、図１に示すシステムにおいて、ウェアラブルデバイス１１によって作業員２の視界内に表示される現時点での設定値の一例を示す図である。図３に示すように、作業対象物３のマシン情報１０１および現時点の設定値１０２が表示され、作業員２は、これらの情報に基づいて、設定値変更作業に使用される新たな設定値を音声入力する。
【００２５】
図４は、図１に示すシステムにおいて、ウェアラブルデバイス１１によって作業員２の視界内に表示される作業支援情報としての新たな設定値の提案の一例を示す図である。作業員２は、作業対象物３に対して設定値変更作業を１度行い、作業対象物３を操作して、設定値変更作業後の設定値でテスト印刷物１１１を印刷させ、そのテスト印刷物１１１を撮像装置２４で撮像する。これにより、この撮像画像が管理サーバー１２へ送信され、管理サーバー１２から作業支援情報１１２（新たな設定値の提案）が受信され、図４に示すように表示される。作業員２は、この作業支援情報１１２を参考にして設定値変更作業を再度行う。
【００２６】
また、コントローラー２７は、マイクロフォン２５を使用して、作業員２の音声によるコマンド入力（新たな設定値の入力、設定値変更コマンドの入力など）を検出すると、そのコマンドに基づく要求を作業対象物３へ送信する。その際、コントローラー２７は、その要求を、近距離無線通信装置２１を使用して作業対象物３へ直接送信してもよいし、ネットワークインターフェイス２２を使用して管理サーバー１２を介して作業対象物３へ送信してもよい。
【００２７】
また、コントローラー２７は、マイクロフォン２５を使用して、作業員２の音声による撮像コマンド入力を検出すると、撮像装置２４に撮像動作を実行させ、撮像画像の画像データを撮像装置２４から取得する。
【００２８】
コントローラー２７は、現時点の設定値（変更前の設定値）でのテスト印刷物および変更後の設定値でのテスト印刷物を撮像装置２４で撮像し、現時点の設定値でのテスト印刷物の撮像画像および変更後の設定値でのテスト印刷物の撮像画像を変更前画像および変更後画像としてそれぞれ示す画像データを、ネットワークインターフェイス２２を使用して管理サーバー１２へ送信する。
【００２９】
なお、作業対象物３は、物理的な組立工程が完了した後の状態となっており、基本的な動作を実行できる状態となっている。そのため、最終的な調整工程では、作業対象物３の内蔵するネットワークインターフェイス、近距離無線通信装置などを使用して、ウェアラブルデバイス１１および管理サーバー１２は、作業対象物３との間でデータ通信を行うことができる。
【００３０】
さらに、作業員２のウェアラブルデバイス１１との間で無線ＬＡＮなどを介してデータ通信可能な管理サーバー１２が設けられている。なお、製造ライン１に複数の作業員２が配置され複数の作業員２に複数のウェアラブルデバイス１１がそれぞれ装着される場合、管理サーバー１２は、その複数のウェアラブルデバイス１１との間でデータ通信可能である。なお、管理サーバー１２は、製造ライン１の周辺に配置されていてもよいし、遠隔に配置されていてもよい。
【００３１】
図５は、図１における管理サーバー１２の構成を示すブロック図である。
【００３２】
管理サーバー１２は、例えば、オペレーティングシステム、サーバープログラムなどをインストールされたネットワーク通信機能を有するサーバーコンピューターである。
【００３３】
管理サーバー１２は、通信装置３１と、記憶装置３２と、演算処理装置３３を備える。
【００３４】
通信装置３１は、ネットワークに接続され、そのネットワークを介して他の装置（作業対象物３、ウェアラブルデバイス１１など）と所定の通信プロトコルでデータ通信を行う装置である。通信装置３１としては、ネットワークインターフェイス、モデムなどが使用される。
【００３５】
また、記憶装置３２は、各種データやプログラムを格納可能な装置である。記憶装置５２としては、不揮発性メモリー、ハードディスクドライブなどの不揮発性の大容量記憶媒体が使用される。記憶装置３２には、設定変更履歴データ４１が記憶される。
【００３６】
設定変更履歴データ４１は、電子機器（作業対象物３）の各機種についての、複数の作業員による過去の調整作業の履歴を含む。過去の調整作業の履歴は、１回の調整工程における連続的な複数回の設定値変更作業のそれぞれについての、変更前の設定値、変更後の設定値、変更前後での設定値の差分、変更前での所定の調整項目についての基準値からのズレ、変更後での所定の調整項目についての基準値からのズレ、変更前後でのズレの差分などを含む。
【００３７】
つまり、所定の調整項目を基準値へ調整したい場合に、どの程度設定値を変更すると、調整項目の基準値からのズレがどの程度減少（増加）するかが、過去の調整作業の履歴として記録される。
【００３８】
また、演算処理装置３３は、ＣＰＵ（Central Processing Unit）、ＲＯＭ（Read Only Memory）、ＲＡＭ（Random Access Memory）などを有するコンピューターであり、記憶装置５２、ＲＯＭなどからＲＡＭへプログラムをロードし、そのプログラムをＣＰＵで実行することにより、各種処理部として動作する。
【００３９】
ここでは、演算処理装置３３により、図示せぬオペレーティングシステム、現設定値収集部５１、現設定値提供部５２、新設定値提案部５３、設定変更結果収集部５４などとして動作する。
【００４０】
現設定値収集部５１は、通信装置３１を使用してネットワークを介して、ウェアラブルデバイス１１から作業対象物３の識別情報を受信し、受信した識別情報の作業対象物３から現時点の設定値を取得する。
【００４１】
現設定値提供部５２は、通信装置３１を使用してネットワークを介して、ウェアラブルデバイス１１へ作業対象物３の現時点の設定値を送信する。
【００４２】
新設定値提案部５３は、設定変更履歴データ４１における過去の調整作業の履歴に基づいて、設定値変更作業に使用すべき新たな設定値の提案を含む作業支援情報を生成し、ウェアラブルデバイス１１へ送信する。
【００４３】
具体的には、新設定値提案部５３は、（ａ）通信装置３１を使用してネットワークを介して、上述の変更前画像および変更後画像の画像データをウェアラブルデバイス１１から受信し、（ｂ）受信した画像データに基づいて、変更前画像における所定の調整項目の値を特定し、特定した調整項目の値の、現時点の設定値での所定の調整項目の基準値からのズレを第１のズレとして特定し、（ｃ）受信した画像データに基づいて、変更後画像における所定の調整項目の値を特定し、特定した調整項目の値の、現時点の設定値での所定の調整項目の基準値からのズレを第２のズレとして特定し、（ｄ）上述の過去の調整作業の履歴に基づいて、変更前の設定値、変更後の設定値、変更前後での設定値の差分、第１のズレ、第２のズレ、および第１のズレと第２のズレとの差分に対応する新たな設定値の提案を含む作業支援情報を生成し、ウェアラブルデバイス１１へ送信する。
【００４４】
ここで、所定の調整項目は、印字位置または印字色である。
【００４５】
印字位置は、印刷用紙内におけるテストパターンの位置である。所定の調整項目が印字位置である場合、設定項目としては、例えば、印刷用紙の搬送速度、ＬＳＵ（Laser Scanning Unit）の同期信号（ＢＤ信号）からのマージンなどがある。所定の調整項目が印字位置である場合、テストパターンについての主走査方向および副走査方向の位置のズレが上述の第１および第２のズレとして検出される。なお、第１および第２のズレの量は、規定の印刷用紙のサイズに対する比により求められる。
【００４６】
また、印字色は、印刷用紙上のテストパターンの色（例えばＲＧＢ色）である。所定の調整項目が印字色である場合、設定項目としては、例えば、各トナー色の濃度などがある。所定の調整項目が印字色である場合、テストパターンについての色のズレ（例えば基準色からの色差）が上述の第１および第２のズレとして検出される。
【００４７】
さらに具体的には、新設定値提案部５３は、設定変更履歴データ４１における過去の調整作業の履歴とウェアラブルデバイス１１から受信した上述の画像データ（つまり、変更前画像および変更後画像）との間で、（ａ）変更前の設定値、（ｂ）変更後の設定値、（ｃ）変更前後での設定値の差分、（ｄ）第１のズレ、（ｅ）第２のズレ、および（ｆ）第１のズレと第２のズレとの差分がそれぞれ所定の誤差の範囲内で互いに一致する設定値変更作業を、その過去の調整作業の履歴において特定し、１回の調整工程における、特定した設定値変更作業から最後の設定値変更作業までの変更前後での設定値の差分の総和を、新たな設定値の提案として含む作業支援情報を生成し、ウェアラブルデバイス１１へ送信する。
【００４８】
例えば、変更前の設定値が１．０で変更後の設定値が１．２であり、変更前後での設定値の差分は０．２となり、ウェアラブルデバイス１１からの変更前画像および変更後画像による印字位置の第１のズレが５ミリメートルで第２のズレが２ミリメートルであり、ズレの差分が−３ミリメートルである場合において、設定変更履歴データ４１におけるある１回の調整工程についての過去の調整作業の履歴が、（０．７，１．０，０．３，１１ｍｍ，５ｍｍ，−６ｍｍ）、（１．０，１．２，０．２，５ｍｍ，２ｍｍ，−３ｍｍ）、（１．２，１．３，０．１，２ｍｍ，１ｍｍ，−１ｍｍ）、および（１．３，１．４，０．１，１ｍｍ，０ｍｍ，−１ｍｍ）であるときには（変更前設定値，変更後設定値，設定値の差分，第１のズレ，第２のズレ，ズレの差分）、最後の設定作業後の設定値である１．４が、新たな設定値として提案される。なお、ここでは、説明のため、１つの設定値で説明しているが、実際には複数の設定値が適宜変更される。なお、提案すべき新たな設定値が設定変更履歴データ４１に基づいて決定されない場合には、その旨がウェアラブルデバイス１１に通知され作業員２に対して表示される。
【００４９】
設定変更結果収集部５４は、１回の調整工程における連続的な複数回の設定値変更作業のそれぞれについての、（ａ）変更前の設定値、（ｂ）変更後の設定値、（ｃ）変更前後での設定値の差分、（ｄ）上述の第１のズレ、（ｅ）上述の第２のズレ、および（ｆ）第１のズレと第２のズレとの差分を特定し、設定変更履歴データ４１における過去の調整作業の履歴に追加する。
【００５０】
なお、変更後の設定値および変更前後での設定値の差分については、変更後の設定値は、作業対象物３またはウェアラブルデバイス１１から取得され、変更前後での差分が特定される。
【００５１】
次に、上記調整作業支援システムの動作について説明する。図６は、図１に示す調整作業支援システムにおける管理サーバー１２の動作について説明するフローチャートである。
【００５２】
まず、作業員２は、ウェアラブルデバイス１１を装着し作業対象物３に接近する。これにより、ウェアラブルデバイス１１は、近距離無線通信装置２１で作業対象物３から識別情報を取得し、ネットワークインターフェイス２２で管理サーバー１２へ送信する。管理サーバー１２は、その識別情報を受信すると、その識別情報の電子機器（作業対象物３）を特定し、特定した作業対象物３から現時点での設定値を取得する（ステップＳ１）。
【００５３】
そして、管理サーバー１２は、取得された現時点での設定値を、その識別情報を送信してきたウェアラブルデバイス１１へ送信する（ステップＳ２）。
【００５４】
ウェアラブルデバイス１１は、管理サーバー１２から、作業対象物３の現時点での設定値を受信すると、例えば図３に示すように、表示装置２３で作業員２に対して表示する。
【００５５】
作業員２は、作業対象物３を操作して、現時点での設定値でテスト印刷物を印刷させ、ウェアラブルデバイス１１でそのテスト印刷物を撮像する。ウェアラブルデバイス１１は、その撮像画像（つまり、変更前画像）の画像データを管理サーバー１２へ送信する。管理サーバー１２は、その変更前画像の画像データを受信し保持する（ステップＳ３）。
【００５６】
その後、作業員２は、ウェアラブルデバイス１１に、新たな設定値を音声入力すると、その設定値で作業対象物３の設定値が更新される。そして、管理サーバー１２は、その新たな設定値（つまり、変更後の設定値）を特定する（ステップＳ４）。
【００５７】
設定値の変更後、作業員２は、作業対象物３を操作して、変更後の設定値でテスト印刷物を印刷させ、ウェアラブルデバイス１１でそのテスト印刷物を撮像する。ウェアラブルデバイス１１は、その撮像画像（つまり、変更後画像）の画像データを管理サーバー１２へ送信する。管理サーバー１２は、その変更後画像の画像データを受信し保持する（ステップＳ５）。
【００５８】
そして、管理サーバー１２は、（ａ）変更前の設定値、（ｂ）変更後の設定値、（ｃ）変更前後での設定値の差分、（ｂ）変更前の調整項目の基準値からのズレ（第１のズレ）、（ｃ）変更後前の調整項目の基準値からのズレ（第２のズレ）、および（ｄ）それらのズレの差分を特定し、設定変更履歴データ４１を参照して、それらの値に基づいて、提案すべき新たな設定値を決定し、決定した設定値を含む作業支援情報をウェアラブルデバイス１１へ送信する（ステップＳ６）。ウェアラブルデバイス１１は、その作業支援情報を受信し表示装置２３で作業員２に対して表示する。作業員２は、この作業支援情報（つまり、新たな設定値の提案）を参考にして、設定値変更作業を再度行う。このようにすることで、過去の設定値変更作業に基づいて効果的な設定値が提案されるため、設定値変更作業の回数を減らすことができる。
【００５９】
また、管理サーバー１２は、変更前後での設定値の差分、および変更前後での調整項目の基準値からのズレの差分を１つのレコードとして設定変更履歴データ４１に追加する（ステップＳ７）。これにより、設定値変更作業の履歴が蓄積されていき、効果的な設定変更が提案される。
【００６０】
以上のように、上記実施の形態によれば、ウェアラブルデバイス１１は、近距離無線通信装置２１、ネットワークインターフェイス２２および表示装置２３を内蔵し、（ａ）近距離無線通信装置２１で作業対象物３から作業対象物３の識別情報を取得し、（ｂ）取得した作業対象物３の識別情報をネットワークインターフェイス２２で管理サーバー１２へ送信し、（ｃ）取得した作業対象物３の識別情報に対応する作業対象物３の現時点での設定値を管理サーバー１２から受信し表示装置２３で作業員２に対して表示し、（ｄ）取得した作業対象物３の識別情報に対応する調整作業の作業支援情報を管理サーバー１２から受信し表示装置２３で作業員２に対して表示し、管理サーバー１２は、（ａ）ウェアラブルデバイス１１から作業対象物３の識別情報を受信し、（ｂ）受信した識別情報の作業対象物３から現時点の設定値を取得してウェアラブルデバイス１１へ送信し、（ｃ）過去の調整作業の履歴に基づいて、作業員２による調整作業の結果に対応する新たな設定値の提案を含む作業支援情報を生成し、ウェアラブルデバイス１１へ送信する。
【００６１】
これにより、ウェアラブルデバイス１１を装着した各作業員２に対して調整作業の支援が適切に行われる。
【００６２】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【産業上の利用可能性】
【００６３】
本発明は、例えば、製造ラインでの調整工程における調整作業の支援に適用可能である。
【符号の説明】
【００６４】
１１  ウェアラブルデバイス
１２  管理サーバー
２１  近距離無線通信装置
２２  ネットワークインターフェイス
２３  表示装置
【図１】
2018049516.tif 000003
【図２】
2018049516.tif 000004
【図３】
2018049516.tif 000005
【図４】
2018049516.tif 000006
【図５】
2018049516.tif 000007
【図６】
2018049516.tif 000008